(57)【要約】【課題】給紙される用紙と給紙部とに基づいて、画像の形成位置を適切に補正する画像形成装置を提供する。【解決手段】印刷用紙の種類ごとに、複数の給紙段それぞれについて、印刷用紙上の画像の形成位置を補正するための補正情報を設定する。複数の給紙段のいずれかから印刷用紙を給紙し、当該印刷用紙上に画像を形成する際、給紙された印刷用紙の種類および当該印刷用紙が給紙された給紙段について設定された補正情報に基づいて、画像の形成位置を補正する。【選択図】図５
2016093943.tif 000002
【特許請求の範囲】
【請求項１】
複数の給紙段を備える画像形成装置であって、
印刷用紙の種類ごとに、前記複数の給紙段それぞれについて、印刷用紙上の画像の形成位置を補正するための補正情報を設定する設定手段と、
前記複数の給紙段のいずれかから印刷用紙を給紙し、当該印刷用紙上に画像を形成する画像形成手段と、
前記画像形成手段により画像を形成する際、当該給紙された印刷用紙の種類および当該印刷用紙が給紙された給紙段について前記設定手段により設定された前記補正情報に基づいて、画像の形成位置を補正する補正手段と、
を備えることを特徴とする画像形成装置。
【請求項２】
印刷用紙の種類ごとに、前記複数の給紙段それぞれについての前記補正情報を設定するための設定画面を表示する表示手段、をさらに備え、
前記設定手段は、前記設定画面で受け付けた前記複数の給紙段それぞれについての前記補正情報を、前記複数の給紙段それぞれについて設定することを特徴とする請求項１に記載の画像形成装置。
【請求項３】
前記設定画面は、前記複数の給紙段それぞれについて前記補正情報が設定済みであるか否かの一覧表示を含むことを特徴とする請求項２に記載の画像形成装置。
【請求項４】
前記設定画面で受け付けた前記補正情報を反映してテスト印刷するテスト印刷手段、をさらに備えることを特徴とする請求項２又は３に記載の画像形成装置。
【請求項５】
前記複数の給紙段それぞれに印刷用紙の種類を設定するための第２の設定画面を表示する第２の表示手段、をさらに備え、
前記第２の設定画面は、前記第２の設定画面上で指定された給紙段に設定可能な印刷用紙の種類の一覧表示を含み、
前記印刷用紙の種類の一覧は、当該指定された給紙段について前記補正情報が設定済みであるか否かの表示を含む、
ことを特徴とする請求項２乃至４のいずれか１項に記載の画像形成装置。
【請求項６】
前記第２の表示手段は、前記印刷用紙の種類の一覧において、前記補正情報が設定済みである印刷用紙の種類を、前記補正情報が設定済みでない印刷用紙の種類に対して優先的に表示することを特徴とする請求項５に記載の画像形成装置。
【請求項７】
前記印刷用紙の種類の一覧において、ユーザから印刷用紙の種類の選択を受け付ける受付手段と、
前記受付手段により受け付けた印刷用紙の種類は、前記第２の設定画面上で指定された給紙段について前記補正情報が設定済みでない場合、当該設定済みでない旨を前記ユーザに通知する通知手段と、
をさらに備えることを特徴とする請求項５又は６に記載の画像形成装置。
【請求項８】
前記第２の設定画面上で指定された給紙段について前記補正情報が設定済みでない場合、当該給紙段についての前記補正情報を設定するための設定画面を表示する第３の表示手段、をさらに備えることを特徴とする請求項７に記載の画像形成装置。
【請求項９】
前記印刷用紙の種類ごとに、当該印刷用紙の情報と、前記複数の給紙段それぞれについて前記設定手段により設定された補正情報と、を対応づけて記憶する記憶手段、をさらに備え、
前記設定画面および前記第２の設定画面は、前記記憶手段に記憶された情報に基づいて表示される、ことを特徴とする請求項５乃至８のいずれか１項に記載の画像形成装置。
【請求項１０】
前記補正情報は、印刷の際のレジ位置を制御するための値であることを特徴とする請求項１乃至９のいずれか１項に記載の画像形成装置。
【請求項１１】
複数の給紙段を備える画像形成装置において実行される画像形成方法であって、
印刷用紙の種類ごとに、前記複数の給紙段それぞれについて、印刷用紙上の画像の形成位置を補正するための補正情報を設定する設定工程と、
前記複数の給紙段のいずれかから印刷用紙を給紙し、当該印刷用紙上に画像を形成する画像形成工程と、
前記画像形成工程において画像を形成する際、当該給紙された印刷用紙の種類および当該印刷用紙が給紙された給紙段について前記設定工程において設定された前記補正情報に基づいて、画像の形成位置を補正する補正工程と、
を有することを特徴とする画像形成方法。
【請求項１２】
請求項１乃至１０のいずれか１項に記載の画像形成装置の各手段としてコンピュータを機能させるためのプログラム。
【発明の詳細な説明】
【技術分野】
【０００１】
本発明は、印刷用紙に画像を形成する画像形成装置、画像形成方法およびプログラムに関する。
【背景技術】
【０００２】
プリンタにより印刷を行う際、いくつかの要因により、画像の印刷位置の傾き、あるいは両面印刷時の表裏の画像の印刷位置がずれてしまうことがある。ずれが発生する要因は、主に２つに分類される。一つ目の要因は、用紙の特性による変化である。電子写真方式のプリンタでは、現像、転写されたトナーが載った用紙を定着器に通すことで画像を用紙に定着させる。用紙が高温の定着器を通ることで用紙の伸縮が生じ、表裏の画像の印刷位置がずれることがある。用紙の伸縮の度合は、用紙の坪量や表面性、サイズ等の違いによって異なる。二つ目の要因は、用紙が収納される給紙部（トレイ）や搬送部の構造によるものである。用紙が給紙されている給紙部や、印刷時に搬送される搬送部の構造によって、印刷位置の頭出しのタイミングがずれたり用紙が傾いたりする場合がある。プリンタに複数の給紙部が存在する場合、そのずれや傾きは給紙部間で異なる。
【０００３】
画像の印刷位置のずれに対して、印刷位置を調整するための調整値をシステム内に保持し、位置ずれを補正する方法が知られている。特許文献１では、給紙部に対して印刷位置調整用の調整値がユーザにより設定される。その調整値に従った印刷により、位置ずれを補正することができる。
【先行技術文献】
【特許文献】
【０００４】
【特許文献１】特開２００９−０１２２５６号公報
【発明の概要】
【発明が解決しようとする課題】
【０００５】
しかしながら、印刷位置のずれには前述の通り主に２つの要因があるので、用紙に対する調整値の設定時に使用した給紙部と異なる給紙部に用紙が搭載されると、給紙部に因る位置ずれを適切に補正することができない。また、給紙部に調整値を保持する構成でも、調整値の設定時に使用した用紙と異なる用紙が搭載されると、用紙に因る位置ずれを適切に補正することができない。
【０００６】
本発明の目的は、このような従来の問題点を解決することにある。上記の点に鑑み、本発明は、給紙部から給紙された印刷用紙に対する画像の形成位置を適切に補正する画像形成装置、画像形成方法およびプログラムを提供することを目的とする。
【課題を解決するための手段】
【０００７】
上記課題を解決するため、本発明に係る画像形成装置は、複数の給紙段を備える画像形成装置であって、印刷用紙の種類ごとに、前記複数の給紙段それぞれについて、印刷用紙上の画像の形成位置を補正するための補正情報を設定する設定手段と、前記複数の給紙段のいずれかから印刷用紙を給紙し、当該印刷用紙上に画像を形成する画像形成手段と、前記画像形成手段により画像を形成する際、当該給紙された印刷用紙の種類および当該印刷用紙が給紙された給紙段について前記設定手段により設定された前記補正情報に基づいて、画像の形成位置を補正する補正手段とを備えることを特徴とする。
【発明の効果】
【０００８】
本発明によれば、給紙部から給紙された印刷用紙に対する画像の形成位置を適切に補正することができる。
【図面の簡単な説明】
【０００９】
【図１】画像形成システムの構成を示す図である。
【図２】画像形成装置のハードウェア構成を示すブロック図である。
【図３】画像形成装置のソフトウェア構成を示すブロック図である。
【図４】用紙情報の登録に用いられる登録画面を示す図である。
【図５】用紙情報のデータベースを示す図である。
【図６】用紙属性情報の編集を行うための編集画面を示す図である。
【図７】給紙段への用紙設定に用いられる用紙設定画面を示す図である。
【図８】給紙段への用紙設定に用いられる用紙設定画面を示す他の図である。
【図９】画像位置調整値の決定に用いられる画面を示す図である。
【図１０】画像位置調整値の決定に用いられる他の画面を示す図である。
【図１１】画像位置調整用の確認ページを示す図である。
【図１２】給紙段への用紙設定処理の手順を示すフローチャートである。
【図１３】給紙段への用紙設定に用いられる用紙設定画面を示す他の図である。
【図１４】用紙リストを作成するための処理の手順を示すフローチャートである。
【図１５】警告画面を示す図である。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１１】
［第１の実施形態］
図１は、画像形成システム１０の構成を示す図である。画像形成システム１０では、画像形成装置１００、クライアントＰＣ１０２が、ＬＡＮ等のネットワーク１０１を介して相互に通信可能に接続されている。画像形成システム１０では、画像形成装置１００として、印刷用紙等の記録媒体への画像形成（印刷）を行うプリンタが用いられる。但し、画像形成装置１００は、印刷機能だけでなく、コピー、スキャン、ＦＡＸなど複数な機能を全て、あるいはそれらの一部を搭載した複合機（ＭＦＰ：Ｍｕｌｔｉｆｕｎｃｔｉｏｎａｌ  Ｐｅｒｉｐｈｅｒａｌ）であっても良い。画像形成システム１０では、クライアントＰＣ１０２内のプリンタドライバから、ユーザによる指示により生成されたジョブがネットワーク１０１を介して画像形成装置１００に送信される。画像形成装置１００は、受信したジョブに基づき、印刷用紙上への画像形成処理を行う。ここで、ジョブは、印刷機能を実行するためのジョブであり、例えば、印刷ジョブやコピージョブが該当する。
【００１２】
画像形成装置１００は、様々な記録（印刷）方式により印刷用紙上への画像形成処理を行うことができ、例えば、インクジェット記録方式や電子写真方式により画像形成処理を行う。また、画像形成装置１００は、クライアントＰＣ１０２からのジョブの受信ではなく、画像形成装置１００の操作部上で受け付けたユーザ操作に従って、画像形成処理を行う場合もある。画像形成システム１０において、ネットワーク１０１は、有線ネットワークであっても良いし、無線ネットワークであっても良い。無線ネットワークが用いられる場合には、例えば、クライアントＰＣ１０２は携帯端末である。また、図１の構成は、ネットワーク１０１の形態に応じて、他の装置が構成される場合がある。例えば、ネットワーク１０１が無線ネットワークの場合には、アクセスポイントが構成される場合もある。また、無線ネットワークには、通信距離が数ｃｍと極めて短い、いわゆる近距離無線通信（ＮｅａｒＦｉｅｌｄＣｏｍｍｕｎｉｃａｔｉｏｎ）も含まれる。図１において、クライアントＰＣ１０２は、複数台がネットワーク１０１上に構成されても良い。
【００１３】
図２は、画像形成装置１００のハードウェア構成の一例を示すブロック図である。画像形成装置１００は、ＣＰＵ２０１を備えるコントローラ部２００、スキャナ部２０２、外部インタフェース（Ｉ／Ｆ）２０３、操作部２０４、圧縮伸長部２０５、ＲＯＭ２０６、ＲＡＭ２０７、ハードディスク（ＨＤＤ）２０８、プリント部２０９を含む。
【００１４】
ＣＰＵ２０１は、画像形成装置１００の各部（各エンジン等）の動作を統括的に制御して画像形成装置１００の実行可能な機能を実現する。スキャナ部２０２は、光源及びイメージセンサを含む読取ユニットを備え、原稿台に配置された原稿を走査しながら光学的に読み取って画像データを生成する。外部Ｉ／Ｆ２０３は、ネットワーク１０１と画像形成装置１００とを接続し、ネットワーク１０１上の装置との通信を可能にする。
【００１５】
操作部２０４は、ＬＣＤディスプレイ等の表示部と、ハードウェアキー等が設けられた操作受付部とを有する。表示部は、画像形成装置１００の機能の設定に係る各種ユーザインタフェース画面や、ジョブ処理状況等を表示する。操作受付部は、ユーザからの各種指示を受け付けるためのキーや、電源ボタン、ジョブ処理状況や節電モードなどの給電状態を示すためのＬＥＤを備える。また、表示部に表示されたソフトウェアキーによって、ユーザからの指示を受け付ける場合もある。
【００１６】
圧縮伸長部２０５は、ネットワーク１０１やＵＳＢメモリ等を介して取得した画像形成処理の対象となるデータをＪＰＥＧ、ＪＢＩＧ、ＭＭＲ、ＭＨ等のデータに圧縮し、また、圧縮されたデータを伸長（解凍）する。ＲＯＭ２０６及びＨＤＤ２０８は、画像形成装置１００の動作に必要な基本プログラムや制御プログラム、設定値やテーブル等を記憶する。例えば、ＣＰＵ２０１は、ＲＯＭ２０６若しくはＨＤＤ２０８に記憶されたプログラムをＲＡＭ２０７に読み出して実行することにより、本実施形態の動作を実現する。
【００１７】
プリント部２０９は、画像形成部２１０、ＣＰＵ２１１、給紙部２１２、排紙部２１３を含む。ＣＰＵ２１１は、ＣＰＵ２０１と協調し若しくは独立に、プリント部２０９の動作を制御する。給紙部２１２は、少なくとも２つ以上の給紙段（トレイ）を備えている。給紙段は、静電ドラムや、インクジェット記録ヘッドなどを含む画像形成部２１０に対して給紙される印刷用紙を保持する。本実施形態では、４つの給紙段を備えるものとする。なお、給紙段には、いわゆる手差しトレイも含まれる。
【００１８】
画像形成部２１０は、プリントエンジンであり、電子写真記録方式やインクジェット記録方式により、印刷用紙上への画像形成処理を行う。画像形成部２１０は、電子写真記録方式の場合にはレーザ露光部や感光ドラム等を含み、インクジェット記録方式の場合にはインク滴を吐出するシリアル型／ライン型の記録ヘッドやキャリッジを含む。
【００１９】
図３は、画像形成装置１００のソフトウェア構成の一例を示すブロック図である。図３の各モジュールは、ＲＯＭ２０６にプログラムとして記憶されており、ＣＰＵ２０１又は２１１によりＲＡＭ２０７に読み出されて実行される。ネットワーク制御部３０１は、外部Ｉ／Ｆ２０３及びネットワーク１０１を介して、クライアントＰＣ１０２等、ネットワーク１０１上の装置とのデータ送受信を行う。ユーザインタフェース（ＵＩ）制御部３０２は、操作部２０４に表示するための表示用データの生成および表示部への表示処理を行う。表示用データは、例えば、後述する各種ユーザインタフェース画面用のデータを含む。
【００２０】
用紙情報格納部３０３は、例えばデータベースであり、ＨＤＤ２０８内に構成される。ＣＰＵ２０１は、用紙情報登録部３０４により登録された用紙情報を、用紙情報格納部３０３に格納する。また、ＣＰＵ２０１は、必要に応じて、用紙情報格納部３０３から用紙情報を読み出す。用紙情報とは、印刷用紙の特徴を表す属性情報であり、例えば、サイズや剛性、表面性の情報などを含む。用紙情報格納部３０３に格納される用紙情報には、プリンタメーカーにより作成されてプリインストールされる用紙情報や、ユーザにより新規に作成追加される用紙情報が含まれる。
【００２１】
図５は、用紙情報格納部３０３に格納されている用紙情報の一例を示す図である。図５の用紙情報データベースは、ＲＯＭ２０６又はＨＤＤ２０８内に構成されている。ＣＰＵ２０１は、用紙情報登録部３０４により登録された用紙属性情報を用紙情報データベース５０１に格納する。用紙情報データベース５０１は、各行の用紙情報について、給紙部２１２に備えられた給紙段数分の画像位置調整値を保持している。例えば、図５においては、各用紙情報についてトレイ１〜４に対応する画像位置調整値が保持されている。画像位置調整値とは、印刷用紙上の画像の形成位置を補正するための値である。詳細については後述するが、図５に示すように、各用紙情報について、画像の形成位置の調整が既に行われているか否か（設定済みであるか否か）を示す情報が給紙段毎に保持される。図５では、坪量、サイズ、表面性、色の用紙属性情報に基づき、用紙情報を種類分けしているが、他の用紙属性情報が用いられても良い。
【００２２】
用紙情報登録部３０４は、画像形成装置１００の印刷機能で使用される用紙情報を登録する。用紙情報登録部３０４は、ＵＩ制御部３０２により操作部２０４に表示された設定画面上のユーザ操作により用紙情報を受け付けると、受け付けた用紙情報を用紙情報格納部３０３に格納する。また、格納された用紙情報は、ＵＩ制御部３０２により、操作部２０４上の設定画面上に表示される。
【００２３】
給紙段用紙設定部３０５は、画像形成装置１００の印刷機能で使用される用紙情報の給紙段への設定を行う。給紙段用紙設定部３０５は、ＵＩ制御部３０２により操作部２０４に表示された設定画面上のユーザ操作により給紙段に設定する用紙情報を受け付けると、受け付けた用紙情報を用紙情報格納部３０３に格納する。また、格納された用紙情報は、ＵＩ制御部３０２により、操作部２０４上の設定画面上に表示される。
【００２４】
印刷実行時に、ＣＰＵ２０１は、給紙段に設定されている用紙情報に基づいて、画像形成部２１０での印刷動作を制御する。例えば、ＣＰＵ２０１は、坪量がより大きい用紙の場合には、用紙搬送速度を下げて定着温度を上げる、というように印刷動作を制御する。
【００２５】
画像調整値決定部３０６は、印刷時における画像の形成位置を補正するための画像位置調整値を決定する。画像調整値決定部３０６は、決定した画像位置調整値を、用紙属性情報の一つとして用紙情報格納部３０３に格納する。画像調整値決定部３０６による画像位置調整値の決定処理については後述する。
【００２６】
画像位置調整部３０７は、画像調整値決定部３０６により決定された画像位置調整値に基づいて、画像データの印刷用紙上の画像形成位置の補正を行う。画像位置調整部３０７は、画像調整値決定部３０６により決定され給紙段用紙設定部３０５により給紙段に設定されている画像位置調整値を用いて、画像形成位置の補正を行う。画像形成位置の補正として、例えば、コントローラ部２００において画像データを処理する時に、画像位置調整値に基づいて画像データのレンダリング位置の調整が行われる。また、例えば、画像形成部２１０により行われる搬送用部材等の各デバイス（搬送ローラ等）の動作タイミングの制御（レジ位置の調整等）が画像位置調整値に基づいて行われる。
【００２７】
図４は、用紙情報登録部３０４による用紙情報の登録に用いられる登録画面の一例を示す図である。用紙情報の登録画面４０１は、例えば、画像形成装置１００の起動時に表示される基本画面（不図示）上のメニューからユーザにより用紙情報の登録指示が行われると、ＵＩ制御部３０２により生成されて操作部２０４に表示される。ＵＩ制御部３０２は、用紙情報格納部３０３に格納されている用紙情報データベース５０１の情報を操作部２０４に表示する。図４では、用紙情報のうち用紙名称が表示されているが、個々の用紙の種類が特定できる情報であれば他の用紙属性情報が表示されても良い。さらに、ＵＩ制御部３０２は、それぞれの用紙情報（用紙名称）について、用紙属性情報を編集するための編集ボタン４０３を表示する。ユーザにより選択された用紙情報に対応する編集ボタン４０３が押下されると、ＵＩ制御部３０２は、図６の用紙属性情報の編集画面６０１を操作部２０４へ表示する。
【００２８】
新規作成ボタン４０４は、用紙情報を新たに作成して用紙情報格納部３０３に格納するためのボタンである。ユーザにより新規作成ボタン４０４が押下されると、ＣＰＵ２０１は、図６の編集画面６０１を介して受け付けた情報に基づき新たな用紙情報を作成し、作成された用紙情報を用紙情報格納部３０３へ格納する。また、ＵＩ制御部３０２は、格納された用紙情報を用紙情報一覧４０２として表示する。削除ボタン４０５は、ユーザにより選択された用紙情報を削除するためのボタンである。ユーザにより用紙情報一覧４０２上で用紙情報が選択された状態で削除ボタン４０５が押下されると、ＣＰＵ２０１は、選択された用紙情報を用紙情報格納部３０３から削除する。また、ＵＩ制御部３０２は、選択された用紙情報を用紙情報一覧４０２から削除する。ユーザによりＯＫボタン４０６が押下されると、ＵＩ制御部３０２は、用紙情報の登録画面４０１を閉じ、基本画面の表示に戻る。
【００２９】
図６は、用紙属性情報の編集を行うための編集画面の一例を示す図である。用紙属性情報の編集画面６０１は、ＵＩ制御部３０２により生成されて操作部２０４に表示される。ユーザにより用紙情報の登録画面４０１上の任意の編集ボタン４０３が押下されると、ＵＩ制御部３０２は、選択された用紙情報について、用紙情報格納部３０３に格納されている用紙情報に基づいて用紙属性情報の編集画面６０１を表示する。
【００３０】
ここで、表示される各項目６０２の情報は、画像形成装置１００の印刷動作に用いられる。図６に示すように、例えば、用紙名称、坪量、サイズ、表面性、色、画像位置調整、のような用紙の特性を表す情報が表示される。それぞれの項目毎に編集ボタン６０４があり、ユーザにより編集ボタン６０４が押下されると、ＵＩ制御部３０２は、各項目の編集を受け付ける画面（不図示）を表示する。表示された画面上で編集操作を受け付けると、用紙属性情報の編集画面６０１に戻り、受け付けた編集操作に対応する内容を領域６０３に表示する。各項目の編集を受け付ける画面は、別画面の形態ではなく、例えば、ラジオボタン等で複数の設定候補を表示するような形態で実現されても良い。
【００３１】
ユーザによりＯＫボタン６０５が押下されると、用紙情報登録部３０４は、受け付けた用紙情報を用紙情報格納部３０３に格納する。また、ＵＩ制御部３０２は、格納された用紙情報に基づいて、用紙属性情報の編集画面６０１に表示する。項目６０２として表示されている画像位置調整に関する動作については後述する。ユーザによりＯＫボタン６０５が押下されると、ＵＩ制御部３０２は、用紙属性情報の編集画面６０１を閉じ、用紙情報の登録画面４０１を表示する。
【００３２】
図７及び図８は、給紙段用紙設定部３０５による給紙段への用紙設定に用いられる用紙設定画面の一例を示す図である。用紙設定画面７０１は、例えば、画像形成装置１００の起動時に表示される基本画面（不図示）上のメニューからユーザにより給紙段への用紙設定指示が行われると、ＵＩ制御部３０２により生成されて操作部２０４に表示される。
【００３３】
ＵＩ制御部３０２は、画像形成装置１００の給紙部２１２が保持している複数の給紙段それぞれに設定されている用紙情報と合わせて、給紙段７０２を一覧表示する。例えば、図７に示すように、用紙残量のアイコン情報と、給紙段の識別番号情報と、用紙サイズ情報とが表示される。また、用紙名称や坪量の情報などが合わせて表示されるようにしても良い。ユーザにより任意の給紙段７０２が選択された状態で設定ボタン７０３が押下されると、ＵＩ制御部３０２は、図８の用紙情報選択画面８０１を表示する。図８の用紙情報選択画面８０１において、ユーザは、給紙段に対して用紙情報を選択して指定することができる。
【００３４】
給紙段用紙設定部３０５は、ユーザにより選択された用紙情報を給紙段情報と対応付けて、ＲＡＭ２０７又はＨＤＤ２０８内の用紙情報格納部３０３に格納する。また、ＵＩ制御部３０２は、格納された用紙情報を給紙段７０２として表示する。ユーザによりＯＫボタン７０４が押下されると、ＵＩ制御部３０２は、用紙設定画面７０１を閉じ、基本画面の表示に戻る。
【００３５】
図８（ａ）の用紙情報選択画面８０１は、ＵＩ制御部３０２により生成されて操作部２０４に表示される。ＵＩ制御部３０２は、用紙情報格納部３０３に格納されている用紙情報データベース５０１に基づいて、選択された給紙段７０２に設定可能な用紙情報のリスト８０２を表示する。図８（ａ）では、登録されている用紙名称、坪量、サイズが表示されているが、他に、表面性や色などの用紙属性情報が表示されても良い。例えば、図８（ｂ）に示すように、画像位置調整情報８０５（調整済みであるか否か）がさらに表示される。ユーザにより給紙段に設定する用紙情報がリスト８０７から１つ選択された状態でＯＫボタン８０４が押下されると、ＣＰＵ２０１は、図１２に示すフローチャートに従って、選択された用紙情報を用紙情報格納部３０３に格納する。そして、ＵＩ制御部３０２は、用紙情報選択画面８０１又は８０６を閉じ、用紙設定画面７０１を表示する。また、ユーザによりキャンセルボタン８０３が押下されると、ＵＩ制御部３０２は、用紙情報選択画面８０１又は８０６を閉じ、用紙設定画面７０１を表示する。
【００３６】
以上のように、本実施形態では、図５に示す用紙情報データベース５０１の情報に基づいて、図４及び図６の用紙情報の登録画面と、図７及び図８の給紙段への用紙設定画面と、が表示される。
【００３７】
図１２は、給紙段用紙設定部３０５による給紙段への用紙設定処理の手順を示すフローチャートである。図１２の各処理は、例えば、ＣＰＵ２０１がＲＯＭ２０６に記憶されたプログラムをＲＡＭ２０７に読み出して実行することにより実現される。
【００３８】
まず、画像形成装置１００の起動時に表示される基本画面（不図示）上のメニューからユーザにより給紙段への用紙設定指示が行われると、Ｓ１２０１において、ＣＰＵ２０１は、用紙設定画面７０１を操作部２０４に表示する。
【００３９】
次に、Ｓ１２０２において、ＣＰＵ２０１は、用紙設定画面７０１上でユーザによる、用紙設定を行う給紙段７０２の選択を受け付ける。Ｓ１２０３において、ＣＰＵ２０１は、Ｓ１２０２で選択された給紙段に対する用紙情報選択画面８０１又は８０６を操作部２０４に表示する。Ｓ１２０４において、ＣＰＵ２０１は、用紙情報選択画面８０１又は８０６上でユーザによる用紙情報の選択を受け付ける。
【００４０】
Ｓ１２０５において、ＣＰＵ２０１は、選択された用紙情報について画像位置調整情報８０５の設定内容が「調整済み」であるか若しくは「未調整」であるかを判定する。ここで、「調整済み」であると判定された場合にはＳ１２０６に進み、「未調整」であると判定された場合にはＳ１２０７に進む。
【００４１】
Ｓ１２０６において、ＣＰＵ２０１は、図１０の画像位置調整画面１００１において既に調整されている画像位置調整情報を取得する。一方、Ｓ１２０７において、ＣＰＵ２０１は、画像位置調整情報について予め定められた初期値を取得する。Ｓ１２０８において、ＣＰＵ２０１は、Ｓ１２０６又はＳ１２０７で取得された画像位置調整情報若しくは初期値を含む用紙情報と、給紙段情報とを対応付けて用紙情報格納部３０３に格納する。Ｓ１２０８の処理後、図１２の処理を終了する。
【００４２】
図９及び図１０は、画像調整値決定部３０６による画像位置調整情報の決定に用いられる画面の一例を示す図である。画像位置調整情報画面９０１は、ＵＩ制御部３０２により生成されて操作部２０４に表示される。用紙属性情報の編集画面６０１上でユーザにより、画像位置調整項目についての編集ボタン６０４が押下されると、ＵＩ制御部３０２は、画像位置調整情報画面９０１を操作部２０４に表示する。画像位置調整情報画面９０１において、ＵＩ制御部３０２は、現在選択されている用紙情報について、各トレイに対応する画像位置調整情報の調整状況、即ち、調整済みであるか否かを表示する。ＣＰＵ２０１は、用紙情報格納部３０３に格納されている用紙情報を参照して、給紙部２１２に備えられた給紙段毎に画像位置調整値が存在するか否かを判定し、その内容を調整状況９０３として表示する。調整状況９０３で「調整済」若しくは「未調整」を表示することにより、ユーザは、どの給紙段において画像位置調整値が設定されているかを容易に認識することができる。ユーザにより所望の給紙段の調整実行ボタン９０４が押下されると、ＵＩ制御部３０２は、画像位置調整画面１００１を操作部２０４に表示する。ユーザによりＯＫボタン９０５が押下されると、ＵＩ制御部３０２は、画像位置調整情報画面９０１を閉じ、用紙属性情報の編集画面６０１を表示する。
【００４３】
画像位置調整画面１００１は、ＵＩ制御部４０２により生成されて操作部２０４に表示される。図１０では、画像位置の調整を行う給紙段としてトレイ４がユーザにより選択された場合を示している。ＣＰＵ２０１は、用紙に対して印刷される画像の上下左右への形成位置を補正するための補正情報として、画像位置調整値をユーザ操作により受け付ける。項目１００２は、先端レジ位置の補正を行うための項目であり、ＵＩ制御部３０２は、オモテ面とウラ面それぞれの補正量を画像位置調整値１００３若しくは１００４として表示する。項目１００５は、左端レジ位置の補正を行うための項目であり、ＵＩ制御部３０２は、オモテ面とウラ面それぞれの補正量を画像位置調整値１００６若しくは１００７として表示する。画像位置調整画面１００１を表示したときに、画像位置調整値１００３、１００４、１００６、１００７に最初に表示される値は、予め定められた初期値（例えば「０．０」）であっても良い。
【００４４】
ＵＩ制御部３０２は、ユーザによるボタン１００８の操作により、画像位置調整値１００３、１００４、１００６、１００７のいずれかの値の変更を受け付ける。ユーザにより値の変更を行う任意の箇所が選択された状態で＋ボタン又は−ボタンが押下されると、ＵＩ制御部３０２は、選択されている項目の値を、０．１プラスし、又は、０．１マイナスして表示する。図１０では、補正量の単位をｍｍ、補正間隔を０．１、初期値を０．０として表示されているが、画素数など他の単位や補正間隔、初期値で表示されても良い。
【００４５】
ユーザによりボタン１００９が押下されると、ＵＩ制御部３０２は、画像位置調整値１００３、１００４、１００６、１００７の値を初期値にリセットする。ユーザによりキャンセルボタン１０１１が押下されると、ＵＩ制御部３０２は、画像位置調整画面１００１を閉じ、用紙属性情報の編集画面６０１を表示する。ユーザによりＯＫボタン１０１２が押下されると、画像調整値決定部３０６は、受け付けた画像位置調整値１００３、１００４、１００６、１００７の値を用紙情報格納部３０３に格納する。そして、ＵＩ制御部３０２は、画像位置調整画面１００１を閉じ、用紙属性情報の編集画面６０１を表示する。
【００４６】
画像位置調整の方法について説明する。本実施形態では、ＣＰＵ２０１は、ユーザ指示により、画像位置調整用の確認ページをテスト印刷する。ユーザは、テスト印刷された確認ページを見て、画像位置調整画面１００１上で画像位置調整値を入力する。
【００４７】
ユーザにより確認ページ印刷ボタン１０１０が押下されると、ＣＰＵ２０１は、確認ページを印刷するようプリント部２０９を制御する。ＣＰＵ２０１は、画像位置調整情報画面９０１において選択された給紙段（本例ではトレイ４）から印刷するようプリント部２０９を制御する。その際、給紙段用紙設定部３０５により設定されている該当給紙段に搭載されている用紙が、用紙情報と一致するか否かを判定するようにしても良い。そして、一致しないと判定された場合（本例の場合、ＰＡＰＥＲ１がトレイ４に搭載されていない場合）、その旨をユーザに通知し、用紙を入れ替えるよう促す警告画面を表示するようにしても良い。
【００４８】
図１１は、画像位置調整用の確認ページの一例を示す図である。オモテ面１１０１およびウラ面１１０２の両面に、印刷による画像位置のずれを計測あるいは予測するための補助線、および印刷方向が印刷されている。確認ページが印刷された際には、印刷用紙の種類や給紙段の構造上に因り、画像の形成位置にずれが生じている場合がある。ユーザは、確認ページ１１０１及び１１０２の補助線に基づいて、現在の位置ずれの方向と量を予測し、ボタン１００８により画像位置調整値１００３、１００４、１００６、１００７の値を決定して入力する。そして、再度、ユーザにより確認ページ印刷ボタン１０１０が押下されると、入力された画像位置調整値１００３、１００４、１００６、１００７の値が反映された確認ページ１１０１及び１１０２が再びテスト印刷される。
【００４９】
上記では、確認ページ１１０１及び１１０２を印刷し、ユーザによりボタン１００８により決定された画像位置調整値を受け付ける。しかしながら、そのような方法以外が用いられても良い。例えば、画像形成装置１００のスキャナ部２０２や、定着後の分光値を計測する分光センサ（不図示）により、確認ページ１１０１及び１１０２を光学的に読み取り、位置ずれを補正可能な画像位置調整値を取得するようにしても良い。
【００５０】
ＯＫボタン１０１２が押下され、受け付けた画像位置調整値１００３、１００４、１００６、１００７の値が用紙情報格納部３０３に格納されると、画像位置調整値は確定する。その後、例えば、ＰＣ１０２からの印刷ジョブを受信して印刷を行う際に、ＣＰＵ２０１は、ジョブで指定された印刷用紙の種類および給紙段に対応するＨＤＤ２０８から画像位置調整値を、ＨＤＤ２０８の用紙情報テーブル５０１から取得する。そして、ＣＰＵ２０１又は２１１は、取得された画像位置調整値に基づき、画像データのレンダリング位置の調整や、搬送用ローラの動作タイミングの制御等により、画像形成位置の補正を実行する。その結果、特定の給紙段に異なった種類の印刷用紙が搭載された場合でも、印刷用紙に因る画像形成位置のずれを適切に補正することができる。また、特定の種類の印刷用紙が異なった給紙段に搭載された場合でも、給紙段に因る画像形成位置のずれを適切に補正することができる。
【００５１】
以上のように、本実施形態においては、ＣＰＵ２０１は、用紙情報格納部３０３に、用紙情報ごとに、複数の給紙段に対応する画像位置調整情報を保持する。そして、用紙が設定された給紙段に対応する画像位置調整情報を取得し、その画像位置調整情報に基づいて印刷時の画像形成位置の補正を行う。そのような構成により、用紙の種類と給紙段との両方に基づいて、給紙段に対応した画像形成位置の補正情報が適切に取得され、印刷時に、画像形成位置を適切に補正することができる。
【００５２】
図１３（ａ）及び（ｂ）は、給紙段用紙設定部３０５による給紙段への用紙設定に用いられる用紙設定画面の他の例を示す図である。図１３（ａ）及び（ｂ）の画面の基本構成は、図８と同じである。ＵＩ制御部３０２は、用紙情報選択画面１３０１を表示する場合に、用紙情報格納部３０３に格納されている用紙情報データベース５０１に基づいてリスト１３０２を表示する。図１３（ａ）に示すように、ＣＰＵ２０１は、用紙情報格納部３０３に格納されている用紙情報から、設定対象の給紙段の画像位置調整情報が「調整済み」となっている用紙情報のみを選択し、リスト１３０２に表示する。
【００５３】
図１４は、リスト１３０２を作成するための処理の手順を示すフローチャートである。図１４の処理は、例えば、ＣＰＵ２０１がＲＯＭ２０６に記憶されたプログラムをＲＡＭ２０７に読み出して実行することにより実現される。図１４の処理を実行する前に、ＲＡＭ等の記憶領域に、リスト１３０２を表示するための作成リスト格納領域が確保される。
【００５４】
用紙設定画面７０１上でユーザにより給紙段７０２が選択された状態で設定ボタン７０３が押下されると、図１４の処理が開始される。Ｓ１４０１において、ＣＰＵ２０１は、選択された給紙段情報を取得する。Ｓ１４０２において、ＣＰＵ２０１は、用紙情報格納部３０３に格納されている用紙情報データベース５０１から１つの用紙情報を本処理対象として選択する。用紙情報の選択順は、例えば、用紙情報データベース５０１内での並び順に沿って選択されるようにしても良い。そして、Ｓ１４０３において、ＣＰＵ２０１は、Ｓ１４０２で選択した用紙情報の画像位置調整情報のうち、選択された給紙段に対応する画像位置調整情報が「調整済み」であるか否かを判定する。ここで、調整済みであると判定された場合にはＳ１４０４に進み、調整済みでないと判定された場合にはＳ１４０５に進む。
【００５５】
Ｓ１４０４において、ＣＰＵ２０１は、リスト１３０２を表示するための作成リスト格納領域に本用紙情報を格納し、Ｓ１４０５に進む。一方、Ｓ１４０３で調整済みでないと判定された場合には、Ｓ１４０５に進み、ＣＰＵ２０１は、用紙情報データベース５０１に保持されている全ての用紙情報について図１４の処理を行ったか否かを判定する。ここで、全ての用紙情報について図１４の処理を行ったと判定された場合にはＳ１４０６に進み、全ての用紙情報について図１４の処理を行っていないと判定された場合にはＳ１４０２からの処理を繰り返す。
【００５６】
Ｓ１４０６において、ＣＰＵ２０１は、作成リスト格納領域内の用紙情報をリスト１３０２として表示する。Ｓ１４０６の処理後、図１４の処理を終了する。
【００５７】
図１３（ａ）及び図１４では、画像位置調整について「調整済み」の用紙情報のみを表示する画面について説明した。しかしながら、ユーザが用紙情報の選択時に、調整済みの用紙情報であるか否かを容易に認識できるのであれば、他の表示形式で実現されても良い。例えば、図１３（ｂ）の用紙情報選択画面１３０４のように、「未調整」の用紙情報をグレーアウト（ユーザによる選択操作を制限）して、リスト１３０３を表示するようにしても良い。また、他に、「調整済み」の用紙情報をリスト内の上位に表示し、「未調整」の用紙情報をリスト内の下位に表示するようにしても良い。
【００５８】
図１３（ｂ）においては、ＣＰＵ２０１は、「調整済み」の用紙情報を優先的に用紙情報選択画面上に表示することで、ユーザが用紙情報を選択する時の判断が容易になり、誤って「未調整」の用紙情報が選択されることを防ぐことができる。
【００５９】
図１５は、警告画面１５０１の一例を示す図である。警告画面１５０１は、ＵＩ制御部３０２により生成されて操作部２０４に表示される。ＵＩ制御部３０２は、用紙情報選択画面８０６上でユーザにより、画像位置調整が「未調整」の用紙情報が選択された時に、警告画面１５０１を表示する。
【００６０】
設定を行う給紙段において、画像位置調整情報が「未調整」の用紙情報が選択されると、画像の印刷位置にずれが生じる可能性があるので、警告画面１５０１によりユーザに対して警告を行う。ＵＩ制御部３０２は、リスト１５０２に、用紙情報格納部３０３に格納されている複数の給紙段情報と、用紙情報選択画面８０６で選択された用紙情報についての画像位置調整情報８０５を表示する。
【００６１】
ユーザによりボタン１５０３が押下されると、ＣＰＵ２０１は、警告画面１５０１が表示される前に選択されていた給紙段について画像位置調整を行うために、警告画面１５０１を閉じ、画像位置調整画面１００１を表示する。ユーザによりボタン１５０４が押下されると、ＣＰＵ２０１は、警告画面１５０１を閉じ、用紙情報選択画面８０１若しくは８０６を表示する。
【００６２】
以上のように、ＣＰＵ２０１は、ユーザにより画像調整位置情報８０５が「未調整」の用紙情報が選択された場合に、選択された用紙情報が設定対象の給紙段において未調整であることを警告する。その結果、画像の形成位置の調整が未調整のまま、印刷が行われることを防ぐことができる。また、他の給紙段における調整状況の情報を警告画面へ同時に表示することで、ユーザは、他の「調整済み」の給紙段を容易に選択することができる。
【００６３】
［その他の実施例］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６４】
２００  コントローラ部：  ２０１、２１１  ＣＰＵ：  ２０６  ＲＯＭ：  ２０７  ＲＡＭ
【図１】
2016093943.tif 000003
【図２】
2016093943.tif 000004
【図３】
2016093943.tif 000005
【図４】
2016093943.tif 000006
【図５】
2016093943.tif 000007
【図６】
2016093943.tif 000008
【図７】
2016093943.tif 000009
【図８】
2016093943.tif 000010
【図９】
2016093943.tif 000011
【図１０】
2016093943.tif 000012
【図１１】
2016093943.tif 000013
【図１２】
2016093943.tif 000014
【図１３】
2016093943.tif 000015
【図１４】
2016093943.tif 000016
【図１５】
2016093943.tif 000017